【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
光学顕微鏡において、光軸に対して形状重量ともに対称型に作られた直進案内機構及び支持体に対物レンズ、結像レンズ、映像光学系及び測光光学系を一直線上に配列し偏りなく支持したことを特徴とした安定性の高い光学顕微鏡の構造。
【請求項２】
映像光学系及び測光光学系の支持体は、温度変化、振動等による傾きの変位が起こらぬよう四角錐台または円錐台としたことを特徴とする請求項１記載の安定性の高い光学顕微鏡の構造。
【請求項３】
無限遠鏡筒長光学顕微鏡において、照明光学系（落射蛍光、全反射落射蛍光、透過蛍光、反射偏光、透過偏光、明視野落射、光ピンセット等）及びモニタ−光学系の導入部に半透過鏡（ダイクロイックミラ−も含む）と結像レンズをそれぞれに組み合わせ、前記映像光学系及び測光光学系には形状重量の非対称形が及ぼす不安定さや支持体（金物）の温度依存性による不安定さを望遠鏡に働く原理で免れることを特徴とする請求項１〜２のうちの１記載の安定性の高い光学顕微鏡の構造。
【請求項４】
光軸に形状重量が対称に作られた試料台と対物レンズ（試料部）とは一体化し、すべての結像レンズと独立した支持体で切離して構成させ、しかも低重心位置に配置し、前記の構造と組み合わせたことを特徴とする請求項１〜３のうちの１記載の安定性の高い光学顕微鏡の構造。
【手続補正２】
【補正対象書類名】明細書
【補正対象項目名】０００３
【補正方法】変更
【補正の内容】
【０００３】
【発明が解決しようとする課題】タンパク質などの生体物質が働く様子を１分子単位で観察操作する「１分子生理学」と呼ばれる新しい研究分野が生まれつつある。この研究のためには光学顕微鏡が不可欠であり、生体物質の動きが非常に小さいため解析には数ナノメ−トルの精度が必要である。しかし現在の光学顕微鏡には安定性の問題があり、この為長時間の観察、記録、計測においてドリフト現象を起こし、常に発生する観測結果の誤差要因となっていた。そこで、本発明は、観測中に試料が焦点ボケを生じたり、物点（対象物）の移動（ドリフト）を起こさない安定性の高い光学顕微鏡の実現を図ったもので、また、全ての結像レンズとそれ以降の光学系には共用の結像レンズを使用することなく個々に結像レンズを配置したものである。結像レンズと例えばＴＶカメラを一体化することによって、対象物が結像レンズの中心と焦点位置が変位することの原理を、図２（ａ）、（ｂ）に基づいて説明する。図２ａの理想位置から支持金物の形状重量の非対象性が及ぼす不安定によって、図２ｂのようにＸ、Ｙ方向に変位が起こっても、結像レンズＴＶカメラは一体化されているので、光束は若干偏るが、対象物は結像レンズの中心と焦点位置が変位することなく結像する。これは（天体）望遠鏡に働く原理（天体望遠鏡に働く原理とは、対象物（月や星）が無限遠に存在するため、望遠鏡の角度変位さえ（傾け）なければ、望遠鏡が平行移動する限り対象物の光軸移動（望遠鏡のスケール中心からの移動）を起こさないことを意味する。無限遠鏡筒長光学系の対物レンズからの光は天体の月や星からの光に相当し、映像光学系及び測光光学系及び結像レンズ、は望遠鏡に相当し、これらは結像レンズと検出部が一体化されているので傾きの変動を起こさない限り、平行移動は物点（対象物）の移動（ドリフト）を起こさないという望遠鏡の原理が働く）で、対象物との望遠鏡との角度変位さえなければ、望遠鏡が平行移動する限り対象物の光軸移動（光軸に直角な方向）と焦点移動（ドリフト）を起こさないことに等しい。
【手続補正３】
【補正対象書類名】明細書
【補正対象項目名】０００４
【補正方法】変更
【補正の内容】
【０００４】
このため、本発明が採用した技術手段は、
光学顕微鏡において、光軸に対して形状重量ともに対称型に作られた直進案内機構及び支持体に対物レンズ、結像レンズ、映像光学系及び測光光学系を一直線上に配列し偏りなく支持したことを特徴とした安定性の高い光学顕微鏡の構造である。
また、映像光学系及び測光光学系の支持体は、温度変化、振動等による傾きの変位が起こらぬよう四角錐台または円錐台としたことを特徴とする安定性の高い光学顕微鏡の構造である。
また、無限遠鏡筒長光学顕微鏡において、照明光学系（落射蛍光、全反射落射蛍光、透過蛍光、反射偏光、透過偏光、明視野落射、光ピンセット等）及びモニタ−光学系の導入部に半透過鏡（ダイクロイックミラ−も含む）と結像レンズをそれぞれに組み合わせ、前記映像光学系及び測光光学系には形状重量の非対称形が及ぼす不安定さや支持体（金物）の温度依存性による不安定さを望遠鏡に働く原理で免れることを特徴とする安定性の高い光学顕微鏡の構造である。
また、光軸に形状重量が対称に作られた試料台と対物レンズ（試料部）とは一体化し、すべての結像レンズと独立した支持体で切離して構成させ、しかも低重心位置に配置し、前記の構造と組み合わせたことを特徴とする安定性の高い光学顕微鏡の構造である。
【手続補正４】
【補正対象書類名】明細書
【補正対象項目名】０００６
【補正方法】変更
【補正の内容】
【０００６】
また、前記支持台７の上方の縮小部（細くなった部分）には、透過照明装置２３、暗視野照明装置２６、モニタ−光学系（ｂ）２７が、中心方向に向かって装着され、更に、支持台７に固定されたコンデンサ−レンズ支持金物２４の先端部には、コンデンサ−レンズ２２が、更に、前記支持台７の先端部の平坦中央部には、照明系結像レンズ２５がそれぞれ設けられている。前記支持台７の先端部の平坦部に固定された中空状且つ台形状の直筒２８には、測光用絞りｍｓ２９、リレ−レンズ支持金物ｍｋ３０、リレ−レンズｍｌ３１、測光装置支持金物３２、測光装置３３と、順次設けられ、測光側第一次像３６、測光側第二次像３７が形成される。前記防振台１５の下面には、中空状且つ倒立台形状の支持体４１が装着され、該支持体４１の中空部には、測光用絞りｐｓ１７、リレ−レンズ支持金物ｐｋ１８、リレ−レンズｐｒ１９、テレビカメラ支持金物２０、テレビカメラ２１と、順次設けられ、映像側第一次像３４、映像側第二次像３５が形成される。前記したように、無限遠鏡筒長対物レンズ２、結像レンズ１６ｐｌ、照明系結像レンズ２５、映像光学系（測光用絞り１７ｐｓ、リレ−レンズ支持金物ｐｋ１８、リレ−レンズｐｒ１９、テレビカメラ支持金物２０、テレビカメラ２１からなる）、測光光学系（直筒２８、測光用絞りｍｓ２９、リレ−レンズ金物ｍｋ３０、リレ−レンズ金物ｍｌ３１、測光装置支持金物３２、測光装置３３からなる）を、光軸に形状重量ともに対称型に作られた直線案内機構上に一直線上に配列し偏りなく支持したことを特徴とした安定性の高い光学顕微鏡の構造とした。また、無限遠光学系を使用し、映像光学系、測光光学系は、結像レンズと一体化されているので傾きの変動を起こさない限り、平行移動は全く焦点ボケを生じたり、物点（対象物）の移動（ドリフト）を起こさない望遠鏡の原理が働くものである。この直進案内機構の一例は円筒と円柱から構成し、円筒部は光軸方向に移動が可能となっている試料のフォ−カス機構は、ＸＹＺ軸微動付き試料台３で行ない、このＸＹＺ軸微動付き試料台３は光軸中心に対称なだけでなく、静電容量型センサ−を内蔵し、ピエゾ駆動機構に変位量をフィ−ドバックされ、焦点位置も保持される構造になっている。
【手続補正５】
【補正対象書類名】図面
【補正対象項目名】図２
【補正方法】変更
【補正の内容】
【図２】
2003270537.tif 000001
【手続補正６】
【補正対象書類名】図面
【補正対象項目名】図３
【補正方法】変更
【補正の内容】
【図３】
2003270537.tif 000002